(57)【要約】【課題】汚泥処理施設から排水処理施設に返送する液中の窒素濃度を、薬剤を使わずに低減できる汚泥処理システムおよび汚泥処理方法の提供を課題とする。【解決手段】実施形態の汚泥処理システムは、消化槽と、アンモニアストリッピング槽と、二酸化炭素散気槽と、を持つ。消化槽は、有機性廃棄物を消化処理して消化汚泥とバイオガスとを生成させる。アンモニアストリッピング槽は、消化汚泥、消化汚泥の脱水処理液、消化汚泥の可溶化処理物または消化汚泥もしくは消化汚泥の脱水処理液のアルカリ処理物をアンモニアストリッピング処理する。二酸化炭素散気槽は、アンモニアストリッピング槽から送られたアンモニアストリッピング処理物に二酸化炭素を散気して中和処理する。【選択図】図１
2018153780.tif 000002
【特許請求の範囲】
【請求項１】
有機性廃棄物を消化処理して消化汚泥を得る消化槽と、
前記消化汚泥、前記消化汚泥の脱水処理液、前記消化汚泥の可溶化処理物または前記消化汚泥もしくは前記消化汚泥の脱水処理液のアルカリ処理物をアンモニアストリッピング処理するアンモニアストリッピング槽と、
アンモニアストリッピング処理されたアンモニアストリッピング処理物に二酸化炭素を散気して中和処理する二酸化炭素散気槽と、
を備える汚泥処理システム。
【請求項２】
前記二酸化炭素散気槽において中和処理された中和処理物を前記消化槽に送る返送手段をさらに備える請求項１に記載の汚泥処理システム。
【請求項３】
前記消化槽と前記アンモニアストリッピング槽との間に前記消化汚泥を脱水する脱水装置をさらに備える請求項１または請求項２に記載の汚泥処理システム。
【請求項４】
前記脱水装置と前記アンモニアストリッピング槽との間に、前記消化汚泥の脱水処理液にアルカリ剤を添加して撹拌混合するアルカリ処理槽を備える請求項３に記載の汚泥処理システム。
【請求項５】
前記二酸化炭素散気槽において中和処理された中和処理物を、排水処理施設に送る送水手段をさらに有する請求項３または請求項４に記載の汚泥処理システム。
【請求項６】
前記消化槽と前記アンモニアストリッピング槽との間に、前記消化汚泥を可溶化処理する可溶化処理槽を備える請求項１または請求項２に記載の汚泥処理システム。
【請求項７】
前記消化槽と前記アンモニアストリッピング槽との間に、前記消化汚泥にアルカリ剤を添加して撹拌混合するアルカリ処理槽を備える請求項１または請求項２に記載の汚泥処理システム。
【請求項８】
前記アルカリ処理槽と前記アンモニアストリッピング槽との間に、前記消化汚泥のアルカリ処理物を可溶化処理する可溶化処理槽を備える請求項７に記載の汚泥処理システム。
【請求項９】
前記消化槽における消化処理において生じた二酸化炭素を前記二酸化炭素散気槽に送気する送気手段をさらに備える請求項１〜請求項８の何れか一項に記載の汚泥処理システム。
【請求項１０】
有機性廃棄物を消化処理して消化汚泥を得る消化処理工程と、
前記消化汚泥、前記消化汚泥の脱水処理液、前記消化汚泥の可溶化処理物または前記消化汚泥もしくは前記消化汚泥の脱水処理液のアルカリ処理物をアンモニアストリッピング処理するアンモニアストリッピング工程と、
アンモニアストリッピング処理したアンモニアストリッピング処理物に二酸化炭素を散気して中和処理する中和処理工程と、
を備える汚泥処理方法。
【請求項１１】
前記消化処理工程とアンモニアストリッピング工程の間に、前記消化汚泥を可溶化処理する可溶化処理工程をさらに備える請求項１０に記載の汚泥処理方法。
【請求項１２】
前記消化処理工程と前記アンモニアストリッピング工程との間に、前記消化汚泥、前記消化汚泥の脱水処理液または前記消化汚泥の可溶化処理物にアルカリ剤を添加してｐＨを９．０以上に調整するアルカリ処理工程を備え、
前記中和処理工程が、アンモニアストリッピング処理したアンモニアストリッピング処理物に二酸化炭素を散気してｐＨを７．０〜８．０にする工程である請求項１０に記載の汚泥処理方法。
【請求項１３】
前記アルカリ処理工程と前記アンモニアストリッピング工程との間に、前記消化汚泥のアルカリ処理物を可溶化処理する可溶化処理工程をさらに備える請求項１２に記載の汚泥処理方法。
【発明の詳細な説明】
【技術分野】
【０００１】
本発明の実施形態は、汚泥処理システムおよび汚泥処理方法に関する。
【背景技術】
【０００２】
汚泥処理施設では、排水処理施設で発生した有機性汚泥、家畜糞尿、生ごみや有機物を高濃度で含む有機排水を処理する。汚泥処理施設に送られた、これらの有機性廃棄物は、汚泥処理施設にて処理されて、有機物が除去される。
【０００３】
汚泥処理施設に送られた有機性廃棄物は、消化槽にて消化処理（メタン発酵処理）されて、バイオガスと消化汚泥とに分解される。また、有機性廃棄物が消化処理される際、バイオガスと消化汚泥に加えて、高濃度のアンモニアが生成される。このとき生成したアンモニアは、消化汚泥に含まれる水分に溶存する。消化処理された消化汚泥は、脱水装置にて脱水されて、脱水汚泥と脱離液とに固液分離される。この脱離液は排水処理施設に送られて処理される。脱離液には消化処理時に生成したアンモニアが多量に溶存している。そのため、脱離液を何ら処理せずに排水処理施設に送ると、排水処理施設における窒素除去の負担が増大する場合があった。
【０００４】
そこで、脱離液を排水処理施設に送る前に、脱離液中のアンモニアを除去することを目的として、脱離液中のアンモニアを気相中に拡散するアンモニアストリッピング処理が行われている。アンモニアストリッピング処理において、被処理液（脱離液）のｐＨが高いほどアンモニアの除去効率が向上することが知られている。
【０００５】
しかし、アンモニアストリッピング処理後の脱離液は、アルカリ性を示すため、そのまま排水処理施設に送ると、排水処理施設の生物処理に悪影響を及ぼす。そこで、排水処理施設に送る前に、アンモニアストリッピング処理後の脱離液を、塩酸や硫酸等を添加して中性にする必要がある。これにより、薬液コストが増大する場合があった。
【先行技術文献】
【特許文献】
【０００６】
【特許文献１】特開昭５６−１２４８２２号公報
【発明の概要】
【発明が解決しようとする課題】
【０００７】
本発明が解決しようとする課題は、汚泥処理施設から排水処理施設に返送する液中の窒素濃度を、薬剤を使わずに低減できる汚泥処理システムおよび汚泥処理方法を提供することである。
【課題を解決するための手段】
【０００８】
実施形態の汚泥処理システムは、消化槽と、アンモニアストリッピング槽と、二酸化炭素散気槽と、を持つ。
消化槽は、有機性廃棄物を消化処理して消化汚泥を得る。
アンモニアストリッピング槽は、前記消化汚泥、前記消化汚泥の脱水処理液、前記消化汚泥の可溶化処理物または前記消化汚泥もしくは前記消化汚泥の脱水処理液のアルカリ処理物をアンモニアストリッピング処理する。
二酸化炭素散気槽は、アンモニアストリッピング処理されたアンモニアストリッピング処理物に二酸化炭素を散気して中和処理する。
【図面の簡単な説明】
【０００９】
【図１】第１の実施形態における汚泥処理システムの概要図。
【図２】各温度における、ｐＨと遊離ＮＨ３の存在比率との関係を示す図。
【図３】第２の実施形態における汚泥処理システムの概要図。
【図４】第３の実施形態における汚泥処理システムの概要図。
【図５】第４の実施形態における汚泥処理システムの概要図。
【発明を実施するための形態】
【００１０】
以下、実施形態の汚泥処理システムおよび汚泥処理方法を、図面を参照して説明する。
【００１１】
（第１の実施形態）
図１は第１の実施形態である汚泥処理システムを示す図である。
本実施形態の汚泥処理システム１００は、消化槽２と、アンモニアストリッピング槽４と、二酸化炭素散気槽５と、を備える。
二酸化炭素散気槽５には、ｐＨ計６が設置されている。
汚泥処理システム１００は、図１に示すように、汚泥濃縮槽１と、脱水装置３と、返送手段２０と、を備えていてもよい。なお、返送手段２０は、中和処理汚泥送泥ラインＬ８と、ポンプＰ１と、を備える。
なお、以下の説明では、汚泥処理する有機性廃棄物の一例として、下水汚泥を対象とした場合について説明する。
【００１２】
汚泥濃縮槽１は、排水処理施設から下水汚泥送泥ラインＬ１を介して送られる、下水汚泥を濃縮して、下水汚泥（固形分）の体積を減少させる槽である。汚泥濃縮槽１は、下水汚泥送泥ラインＬ２を介して消化槽２と接続されている。
【００１３】
消化槽２は、汚泥濃縮槽１から送られた下水汚泥を嫌気性微生物によって、二酸化炭素およびメタンガスを含むバイオガスと、消化汚泥とに分解する、消化処理を行う槽である。
消化槽２は、バイオガス送気ラインＬ９を介して、消化槽２外へバイオガスを排出できるようになっている。消化槽２は、消化汚泥送泥ラインＬ３を介して脱水装置３と接続されている。また、消化槽２は、消化汚泥送泥ラインＬ６を介してアンモニアストリッピング槽４と接続されている。さらに、消化槽２は、返送手段２０の中和処理汚泥送泥ラインＬ８を介して、二酸化炭素散気槽５と接続されている。
【００１４】
脱水装置３は、消化槽２から送られた消化汚泥を脱水して、消化汚泥に含まれる水分である脱離液（脱水処理液）と脱水汚泥とに分離させる装置である。なお、脱水装置３としては、例えば、ベルトプレス脱水機、フィルタープレス脱水機、ロータリープレス脱水機、スクリュープレス脱水機、遠心分離脱水機、多重円板脱水機等を用いることができる。
脱水装置３は、脱水汚泥送泥ラインＬ４を介して図示略の乾燥装置と接続されている。また、脱水装置３は、脱離液送液ラインＬ５を介して図示略の排水処理施設と接続されている。
【００１５】
アンモニアストリッピング槽４は、消化槽２から送られた消化汚泥をアンモニアストリッピング処理して、アンモニアストリッピング処理物とする槽である。なお、本実施形態においてアンモニアストリッピング処理物とは、アンモニアストリッピング処理されて、アンモニア態窒素が除去された後の汚泥をいう。
【００１６】
消化汚泥は、一般に、アンモニアおよびアンモニウムイオンの形態で窒素を含んでいる。ここでいうアンモニアストリッピング処理とは、そのような消化汚泥に蒸気または空気を吹き込んで、消化汚泥に含まれるアンモニア態窒素（ＮＨ４＋）と水酸化物イオン（ＯＨ−）とを反応させ、遊離アンモニア（ＮＨ３）および水（Ｈ２Ｏ）に反応させ、遊離アンモニアを消化汚泥から放散させる処理である。これにより、消化汚泥に含まれる窒素（アンモニア態窒素）が除去される。
【００１７】
アンモニアストリッピング槽４は、アルカリ剤供給ラインＬ１０を介して図示略のアルカリ剤供給部と接続されている。また、アンモニアストリッピング槽４は、アンモニアストリッピング処理物送泥ラインＬ７を介して二酸化炭素散気槽５と接続されている。さらに、アンモニアストリッピング槽４は、アンモニアガス送気ラインＬ１１を介して、アンモニアガスをアンモニアストリッピング槽４外に排出できるようになっている。
【００１８】
二酸化炭素散気槽５は、アンモニアストリッピング槽４から送られたアンモニアストリッピング処理物に二酸化炭素を散気し、中和処理して中和処理汚泥（中和処理物）を得る槽である。なお、本実施形態において中和処理汚泥とは、二酸化炭素が散気されて、アンモニアストリッピング処理物に含まれる水分が中和処理された後の汚泥をいう。
【００１９】
二酸化炭素散気槽５には、ｐＨ計６が設置されている。二酸化炭素散気槽５は、二酸化炭素送気ラインＬ１２を介して図示略の二酸化炭素供給部と接続されている。また、二酸化炭素散気槽５は、返送手段２０の中和処理汚泥送泥ラインＬ８を介して消化槽２と接続されている。
【００２０】
返送手段２０は、中和処理汚泥送泥ラインＬ８と、ポンプＰ１と、を備える。ポンプＰ１は、二酸化炭素散気槽５と消化槽２とを接続する、中和処理汚泥送泥ラインＬ８の途中に備えられている。ポンプＰ１が作動すると、二酸化炭素散気槽５内の中和処理汚泥が、中和処理汚泥送泥ラインＬ８を介して消化槽２に送られる。
【００２１】
ｐＨ計６は、二酸化炭素散気槽５内のアンモニアストリッピング処理物のｐＨを計測する計測器である。
【００２２】
次に、本実施形態の汚泥処理システム１００のそれぞれの構成要素の作用を説明すると共に、当該汚泥処理システム１００を用いた汚泥処理方法について説明する。
【００２３】
本実施形態の汚泥処理方法は、下水汚泥を消化処理して消化汚泥を得る工程と、消化汚泥をアンモニアストリッピング処理する工程と、アンモニアストリッピング処理物に二酸化炭素を散気して中和処理する工程と、を有する。
より詳細には、下水汚泥を消化槽２にて消化処理して、メタンガスおよび二酸化炭素を含むバイオガスならびに消化汚泥を得る工程（消化処理工程）と、消化汚泥をアンモニアストリッピング槽４にてアンモニアストリッピング処理して、アンモニアストリッピング処理物（アンモニアストリッピング処理物）を得る工程（アンモニアストリッピング工程）と、アンモニアストリッピング処理物を二酸化炭素散気槽５にて、二酸化炭素を散気し、中和処理して中和処理汚泥（中和処理物）を得る工程（中和処理工程）と、を有する。
【００２４】
また、本実施形態の汚泥処理方法は、排水処理施設から送られた下水汚泥を濃縮する工程（濃縮工程）と、消化汚泥を脱水装置３にて脱水して、脱離液（脱水処理液）と脱水汚泥とに分離する工程（脱水工程）と、中和処理した中和処理汚泥を二酸化炭素散気槽５に返送する工程（返送工程）と、を有していてもよい。
【００２５】
濃縮工程は、排水処理施設から下水汚泥送泥ラインＬ１を介して汚泥濃縮槽１に送られた下水汚泥を、汚泥濃縮槽１にて濃縮する工程である。なお、汚泥濃縮槽１における汚泥濃縮方法としては、重力式濃縮や機械式濃縮を用いることができる。
【００２６】
下水汚泥は、通常、水分を９９質量％程度含んでいる。下水汚泥が濃縮されることによって、下水汚泥の含水率は９７質量％程度となる。下水汚泥が濃縮されると、下水汚泥から脱離した上澄み液が得られる。汚泥濃縮槽１にて得られた上澄み液は図示略の配管を介して排水処理施設に送られる。一方、濃縮された下水汚泥は下水汚泥送泥ラインＬ２を介して消化槽２に送られる。
【００２７】
消化処理工程は、汚泥濃縮槽１から消化槽２に送られた下水汚泥を、消化槽２内に保持された嫌気性微生物によって消化処理（メタン発酵処理）して、二酸化炭素およびメタンガスを含むバイオガスと、消化汚泥とを得る工程である。この消化汚泥は、９５％以上の水分を含む。消化汚泥における水分以外の成分は、嫌気性微生物が分解しきれなかった下水汚泥（有機物）の残渣および嫌気性微生物である。
【００２８】
消化槽２で得られた消化汚泥は、一部が消化汚泥送泥ラインＬ３を介して脱水装置３に送られ、それ以外が消化汚泥送泥ラインＬ６を介してアンモニアストリッピング槽４に送られる。一方、消化槽２にて得られたバイオガスは、バイオガス送気ラインＬ９を介して消化槽２外へ排出される。
【００２９】
アンモニアストリッピング工程は、消化槽２から送られた消化汚泥を、アンモニアストリッピング槽４にて、アンモニアストリッピング処理する工程である。
アンモニアストリッピング槽４に送られた消化汚泥は、アルカリ剤供給ラインＬ１０を介して、図示略のアルカリ剤供給部からアルカリ剤が供給される。なお、アルカリ剤としては例えば、水酸化ナトリウム、水酸化カリウム、水酸化カルシウム等を用いることができる。また、アンモニアストリッピング槽４内の消化汚泥は、アンモニアストリッピング槽４内の図示略の散気装置によって、蒸気または空気が散気される。
【００３０】
アルカリ剤が添加された消化汚泥はｐＨが上昇する。消化汚泥のｐＨは、通常、７．５〜８．５である。本実施形態のアルカリ処理工程では、アンモニアストリッピング槽４内の消化汚泥のｐＨを、消化槽２から送られた消化汚泥のｐＨよりも上昇させることを目的として、消化汚泥にアルカリ剤を添加する。そのため、アンモニアストリッピング槽４内の消化汚泥のｐＨが、消化槽２から送られた消化汚泥のｐＨよりも上昇するように、アルカリ剤の量を適宜調整するとよい。
【００３１】
ここで、図２に、各温度におけるｐＨと遊離アンモニアの存在比率との関係を示す。図２に示す通り、被処理液のｐＨが高いほど、また、処理温度が高いほど、遊離アンモニアの存在比率が高くなる。そのため、アルカリ剤が添加された消化汚泥は、遊離アンモニアの存在比率が高くなる。アルカリ剤が添加された消化汚泥に、散気装置から散気された蒸気または空気を接触させることにより、消化汚泥中のアンモニアが放散する。消化汚泥からアンモニアが放散することにより、消化汚泥中の窒素が除去される。
【００３２】
消化汚泥から放散したアンモニアは、アンモニアガス送気ラインＬ１１を介してアンモニアストリッピング槽４外へ排出される。一方、アンモニアストリッピング処理されたアンモニアストリッピング処理物は、アンモニアストリッピング処理物送泥ラインＬ７を介して二酸化炭素散気槽５に送られる。
【００３３】
中和処理工程は、二酸化炭素散気槽５にて、アンモニアストリッピング槽４から送られたアンモニアストリッピング処理物を、中和処理して中和処理汚泥（中和処理物）を得る工程である。アンモニアストリッピング槽４に送られたアンモニアストリッピング処理物は、二酸化炭素散気槽の底部に設置された図示略の二酸化炭素供給部によって、二酸化炭素が散気される。なお、二酸化炭素供給部の二酸化炭素源としては、市販の二酸化炭素ボンベ、バイオガス中のメタンガスを燃焼して発生した二酸化炭素、後述するバイオガスから分離回収した二酸化炭素等を用いることができる。アンモニアストリッピング処理物に二酸化炭素が散気されると、アンモニアストリッピング処理物が中和処理される。
【００３４】
アンモニアストリッピング処理物に二酸化炭素が散気されると、二酸化炭素（ＣＯ２）は水（Ｈ２Ｏ）と結合して炭酸（Ｈ２ＣＯ３）を形成する。この炭酸（Ｈ２ＣＯ３）が、水素イオン（Ｈ＋）と炭酸イオン（ＨＣＯ３−）とに分離することによって、アンモニアストリッピング処理物中の水素イオン濃度が高くなり、アンモニアストリッピング処理物のｐＨが低下する。これにより、アンモニアストリッピング処理物が略中性になる。
【００３５】
なお、二酸化炭素散気槽５における二酸化炭素の散気量は、アンモニアストリッピング処理物のｐＨが７．０〜８．０となるように散気することが好ましい。中和処理汚泥のｐＨが７．０〜８．０であれば、中和処理汚泥を消化槽２に送って汚泥処理する場合に、消化槽２の負荷が増大することがない。二酸化炭素散気槽５内の中和処理汚泥のｐＨは、ｐＨ計６によって計測する。
【００３６】
返送工程は、上記中和処理工程で得られた中和処理汚泥を、返送手段２０のポンプＰ１によって、中和処理汚泥送泥ラインＬ８を介して消化槽２に返送する工程である。中和処理汚泥が消化槽２に返送されると、消化槽２では、二酸化炭素散気槽５から送られた中和処理汚泥と、汚泥濃縮槽１から送られた下水汚泥とが混ざる。窒素濃度が低い中和処理汚泥と窒素濃度が高い下水汚泥とが混ざることにより、消化槽２内の混合汚泥（下水汚泥および中和処理汚泥）の窒素濃度が低減する。窒素濃度が低減した混合汚泥は、消化槽２にて消化処理されて、バイオガスおよび消化汚泥となる。この消化汚泥は、下水汚泥を消化処理して生成した消化汚泥に比べて、窒素濃度が低くなる。
【００３７】
消化槽２で得られた消化汚泥の一部に対しては、脱水工程が行われる。脱水工程は、消化槽２から脱水装置３に送られた消化汚泥を脱水して、消化汚泥に含まれる水分である脱離液（脱水処理液）と脱水汚泥とに分離する工程である。消化汚泥が脱水されて得られた脱水汚泥は、脱水汚泥送泥ラインＬ４を介して図示略の乾燥装置に送られる。乾燥装置に送られた脱水汚泥は、乾燥されて、水分量が減少される。乾燥された乾燥汚泥は、乾燥汚泥送泥ラインを介して焼却炉に送られて、焼却処理される。一方、脱水装置３にて得られた脱離液は、脱離液送液ラインＬ５を介して排水処理施設に送られる。
【００３８】
以上の構成によれば、アンモニアストリッピング処理後のｐＨが高いアンモニアストリッピング処理物に、二酸化炭素を散気することによって消化汚泥を中和処理するため、塩酸等の添加が不要となる。そのため、アンモニアストリッピング処理後のアンモニアストリッピング処理物の中和処理に要する薬剤の使用量を削減することができる。
また、消化汚泥にアルカリ剤を添加してアンモニアストリッピング処理することで、消化汚泥中のアンモニアを効率的に除去することができる。その結果、消化汚泥の窒素濃度を低減できる。そのため、この消化汚泥を脱水して得られた脱離液を排水処理施設に送って排水処理する場合に、排水処理施設の窒素負荷を低減することができる。排水処理施設の窒素負荷が低減すると、排水処理施設における窒素除去にかかる運転コストを削減することができる。
【００３９】
また、消化槽２内の消化汚泥中のアンモニア態窒素量を低減できるため、消化汚泥中のリン酸イオンと、アンモニウムイオンと、マグネシウムイオンとが結合して生成する、リン酸アンモニウムマグネシウム（ＭＡＰ）の生成を抑制することができる。そのため、消化汚泥送泥ラインＬ３や消化汚泥送泥ラインＬ６等のＭＡＰによる目詰まりを防止することができる。
【００４０】
また、中和処理後の中和処理汚泥を消化槽２に返送することによって、消化槽２内の窒素濃度が低減することにより、消化槽２内のアンモニア阻害を抑制することができる。そのため、消化槽２における消化処理効率を向上することができる。さらに、ｐＨの高いアンモニアストリッピング処理物の中和処理工程において、塩酸を使用していないため、中和処理汚泥中の塩素によって嫌気性微生物が死滅することを防ぐことができる。これにより、消化槽２における消化処理効率を、良好な状態に維持することができる。
【００４１】
（第２の実施形態）
本実施形態の汚泥処理システムを、図面を参照して説明する。なお、以下の説明では、図１に示した汚泥処理システム１００と同一または類似の機能を有する構成に同一の符号を付す。そして、それら構成の重複する説明は省略する。
【００４２】
本実施形態の汚泥処理システム２００は、図３に示すように、消化槽２と、アンモニアストリッピング槽４と、二酸化炭素散気槽５と、を備える。また、汚泥処理システム２００は、脱水装置３を備えている。
二酸化炭素散気槽５には、ｐＨ計６が設置されている。
汚泥処理システム２００は、図３に示すように、汚泥濃縮槽１を備えていてもよい。
【００４３】
汚泥処理システム２００の消化槽２は、バイオガス送気ラインＬ９を介して、消化槽２外へバイオガスを排出できるようになっている。消化槽２は、消化汚泥送泥ラインＬ３を介して脱水装置３と接続されている。
【００４４】
脱水装置３は、脱離液送液ラインＬ１３を介してアンモニアストリッピング槽４と接続されている。また、脱水装置３は、脱水汚泥送泥ラインＬ４を介して図示略の乾燥装置と接続されている。
【００４５】
アンモニアストリッピング槽４は、脱水装置３から送られた脱離液をアンモニアストリッピング処理して、アンモニアストリッピング処理物とする槽である。なお、本実施形態においてアンモニアストリッピング処理物とは、アンモニアストリッピング処理されて、アンモニア態窒素が除去された液のことをいう。
アンモニアストリッピング槽４は、アンモニアストリッピング処理物送液ラインＬ１４を介して、二酸化炭素散気槽５と接続されている。
【００４６】
二酸化炭素散気槽５は、アンモニアストリッピング槽４から送られたアンモニアストリッピング処理物に二酸化炭素を散気し、中和処理して中和処理液（中和処理物）とする槽である。なお、本実施形態において中和処理液とは、二酸化炭素が散気されて、中和処理された後の液のことをいう。
二酸化炭素散気槽５は、中和処理液送液ラインＬ１５を介して、中和処理液を図示略の排水処理施設に送液できるようになっている。
【００４７】
ｐＨ計６は、二酸化炭素散気槽５内の脱離液のｐＨを計測する計測器である。
【００４８】
次に、本実施形態の汚泥処理システム２００のそれぞれの構成要素の作用を説明すると共に、当該汚泥処理システムを用いた汚泥処理方法について説明する。
【００４９】
本実施形態の汚泥処理方法は、下水汚泥を消化処理して消化汚泥を得る工程と、消化汚泥を脱水する工程と、消化汚泥の脱水処理液をアンモニアストリッピング処理する工程と、アンモニアストリッピング処理物に二酸化炭素を散気して中和処理する工程と、を有する。
より詳細には、下水汚泥を消化槽２にて消化処理して、メタンガスおよび二酸化炭素を含むバイオガスならびに消化汚泥を得る工程（消化処理工程）と、消化槽２から送られた消化汚泥を脱水装置３にて脱水して、脱離液（脱水処理液）と脱水汚泥とに分離する工程（脱水工程）と、脱水装置３からアンモニアストリッピング槽４に送られた脱離液をアンモニアストリッピング処理して、アンモニアストリッピング処理物（アンモニアストリッピング処理物）を得る工程（アンモニアストリッピング工程）と、アンモニアストリッピング槽４から二酸化炭素散気槽５に送られたアンモニアストリッピング処理物に、二酸化炭素を散気し、中和処理して中和処理液（中和処理物）を得る工程（中和処理工程）と、を備える。
【００５０】
また、本実施形態の汚泥処理方法は、排水処理施設から送られた下水汚泥を濃縮する工程（濃縮工程）を有していてもよい。
以下、それぞれの工程のうち、第１の実施形態と同じものについては、省略または簡略する。
【００５１】
消化処理工程は、汚泥濃縮槽１から下水汚泥送泥ラインＬ１を介して消化槽２に送られた下水汚泥を消化処理する工程である。消化処理工程では、下水汚泥が消化処理されることによって、二酸化炭素およびメタンガスを含むバイオガスならびに消化汚泥が得られる。消化槽２にて得られたバイオガスは、バイオガス送気ラインＬ９を介して、消化槽２外へ排出される。一方、消化槽２にて得られた消化汚泥は、消化汚泥送泥ラインＬ３を介して脱水装置３に送られる。
【００５２】
脱水工程は、消化槽２から消化汚泥送泥ラインＬ３を介して脱水装置３に送られた消化汚泥を脱水して、固液分である脱水汚泥と水分である脱離液とに分離させる工程である。脱水装置３にて得られた脱水汚泥は、脱水汚泥送泥ラインＬ４を介して、図示略の乾燥装置に送られる。一方、脱水装置３にて得られた脱離液は、脱離液送液ラインＬ１３を介して、アンモニアストリッピング槽４に送られる。
【００５３】
アンモニアストリッピング工程は、脱水装置３からアンモニアストリッピング槽４に送られた脱離液を、アンモニアストリッピング処理する工程である。
脱水装置３からアンモニアストリッピング槽４に送られた脱離液は、図示略のアルカリ剤供給部からアルカリ剤供給ラインＬ１０を介してアルカリ剤が供給される。アンモニアストリッピング槽４内の脱離液は、アンモニアストリッピング槽４内の図示略の散気装置によって、蒸気または空気が散気される。
【００５４】
アルカリ剤を添加された脱離液はｐＨが上昇する。脱離液のｐＨは、通常、７．５〜８．５である。本実施形態では、アンモニアストリッピング槽４内の脱離液のｐＨを、脱水装置３から送られた脱離液のｐＨよりも上昇させることを目的として、脱離液にアルカリ剤を添加する。そのため、アンモニアストリッピング槽４内の脱離液のｐＨが、脱水装置３から送られた脱離液のｐＨよりも上昇するように、アルカリ剤の量を適宜調整するとよい。
【００５５】
アルカリ剤が添加された脱離液は、脱離液中の遊離アンモニアの存在比率が高くなる。アルカリ剤が添加された脱離液に、散気装置から散気された蒸気または空気を接触させることにより、脱離液中のアンモニアが放散する。脱離液からアンモニアが放散することにより、脱離液中のアンモニア態窒素が除去され、アンモニアストリッピング処理物となる。
【００５６】
脱離液から放散したアンモニアは、アンモニアガス送気ラインＬ１１を介してアンモニアストリッピング槽４外へ排出される。一方、アンモニアストリッピング処理物は、アンモニアストリッピング処理物送液ラインＬ１４を介して、二酸化炭素散気槽５に送られる。
【００５７】
中和処理工程は、アンモニアストリッピング槽４から二酸化炭素散気槽５に送られたアンモニアストリッピング処理物に、二酸化炭素を散気して中和処理して中和処理液（中和処理物）を得る工程である。中和処理工程では、二酸化炭素散気槽５にて、アンモニアストリッピング処理物に二酸化炭素が散気されることによって、アンモニアストリッピング処理物中の水素イオン濃度が高くなる。これにより、アンモニアストリッピング処理物のｐＨが低下する。これにより、アンモニアストリッピング処理物が略中性になる。
【００５８】
なお、二酸化炭素散気槽５における二酸化炭素の散気量は、アンモニアストリッピング処理物を中和処理して得た中和処理液のｐＨが、７．０〜８．０となるように散気することが好ましい。中和処理汚液のｐＨが７．０〜８．０であれば、中和処理液を排水処理施設に送って排水処理する場合に、排水処理施設の負荷が増大することがない。二酸化炭素散気槽５内の中和処理液のｐＨは、ｐＨ計６によって計測する。
中和処理液は、中和処理液送液ラインＬ１５を介して、図示略の排水処理施設に送られる。
【００５９】
なお、本実施形態の汚泥処理システム２００では、二酸化炭素散気槽５と図示略の排水処理施設とを接続し、且つ、中和処理した後の中和処理液（中和処理液）の一部または全部を、排水処理施設に送る送水手段を備えていてもよい。この送水手段は、排水処理施設の最初沈殿池または生物反応槽に接続されることが好ましい。
この場合、アンモニアを除去した後に窒素濃度の低い中和処理液を排水処理施設に送ることで、アンモニア濃度が高いまま汚泥処理システム２００からの脱離液を排水処理施設に返送する従来処理に比べて、排水処理施設における窒素濃度が低減し、排水処理施設の窒素負荷を低減できる。これにより、排水処理施設における窒素除去に要する曝気等の運転コストを削減できる。
【００６０】
また、本実施形態の汚泥処理システム２００では、中和処理した後の中和処理液（中和処理液）の一部または全部を、消化槽２に返送する返送手段を備えていてもよい。この場合、アンモニアを除去した中和処理液の一部を消化槽２に返送することで、消化槽２内のアンモニア濃度が低減し、嫌気性微生物による消化処理効率的を向上させることができる。
【００６１】
また、本実施形態の汚泥処理システム２００では、脱水装置３から送られた脱離液をアルカリ処理するアルカリ処理槽を備えていてもよい。アルカリ処理槽は、脱離液送液ラインＬ１３を介して脱水装置３と接続されていてもよい。また、アルカリ処理槽は、アルカリ処理液送液ラインを介してアンモニアストリッピング槽と接続されていてもよい。この場合、アルカリ処理槽では、脱離液をアルカリ処理して得たアルカリ処理液（アルカリ処理物）のｐＨを９．０以上に調整することが好ましく、１０．０以上に調整することがより好ましい。アルカリ処理槽にて、脱離液のｐＨを調整してアルカリ処理液とすることで、脱離液中の遊離アンモニアの存在比率をより向上させることができる。このアルカリ処理液をアンモニアストリッピング処理することによって、アンモニア態窒素の除去効率をより向上させることができる。
【００６２】
また、本実施形態の汚泥処理システム２００では、消化槽２にて生成したバイオガスを二酸化炭素とメタンガスとに分離するとともに、分離した二酸化炭素を、二酸化炭素散気槽５に設置された散気装置に送気するバイオガス分離装置を備えていてもよい。バイオガス分離装置は、消化槽２と、バイオガス送気ラインを介して接続されていてもよい。また、バイオガス分離装置は、二酸化炭素送気ラインを介して二酸化炭素散気槽５と接続されていてもよい。この場合は、二酸化炭素散気槽５における二酸化炭素源が不要となる。また、単に消化槽２から排出していたバイオガスに含まれる二酸化炭素を、二酸化炭素散気槽５の二酸化炭素源として有効利用することができる。
【００６３】
以上の構成によれば、アンモニアストリッピング処理後のｐＨが高いアンモニアストリッピング処理物に、二酸化炭素を散気することによって中和処理するため、塩酸等の添加が不要となる。そのため、アンモニアストリッピング処理後のアンモニアストリッピング処理物の中和処理に要する薬剤の使用量を削減することができる。
また、消化汚泥を脱水して得た脱離液にアルカリ剤を添加してアンモニアストリッピング処理することで、脱離液中のアンモニアを効率的に除去することができる。その結果、脱離液に含まれる窒素濃度を低減できる。その結果、脱離液を排水処理施設に送って排水処理する場合に、排水処理施設の窒素負荷を低減できる。排水処理施設の窒素負荷が低減すると、排水処理施設における窒素除去にかかる運転コストを削減することができる。
【００６４】
また、脱離液にアルカリ剤を添加して、脱離液のｐＨを上昇させているため、アンモニアの除去効率を向上させることができる。液中のアンモニアの除去効率を向上させる方法としては、液のｐＨを上昇する方法と、液を加温して、液の温度を上昇する方法とがある。上述の通り、本実施形態では、脱離液のｐＨを上昇させているため、脱離液を加温することなく、アンモニアの除去効率を向上させることができる。そのため、脱離液を加温する加温装置、加温した脱離液の水温を下げるための冷却装置等が不要となる。
【００６５】
（第３の実施形態）
図４の汚泥処理システム３００は、汚泥処理システム１００と同様に、消化槽２と、アンモニアストリッピング槽４と、二酸化炭素散気槽５と、を備える。また、汚泥処理システム３００は、可溶化処理槽８を備える。
二酸化炭素散気槽５には、ｐＨ計６が設置されている。
汚泥処理システム３００は、図４に示すように、汚泥濃縮槽１と、脱水装置３と、返送手段２０と、送気手段３０と、を備えていてもよい。なお、返送手段２０は、中和処理汚泥送泥ラインＬ８と、ポンプＰ１と、を備える。また、送気手段３０は、バイオガス送気ラインＬ１８と、バイオガス分離装置７と、二酸化炭素送気ラインＬ１９と、を備える。
【００６６】
送気手段３０のバイオガス分離装置７は、消化槽２からバイオガス送気ラインＬ１８を介して送気されたバイオガスを二酸化炭素とメタンガスとに分離する装置である。
バイオガス分離装置７は、バイオガス送気ラインＬ１８を介して、消化槽２と接続されている。また、バイオガス分離装置７は、二酸化炭素送気ラインＬ１９を介して、二酸化炭素散気槽５内に設置された、図示略の二酸化炭素供給部と接続されている。
バイオガス分離装置７は、メタンガス送気ラインＬ２０を介して、メタンガスをバイオガス分離装置７外に排出できるようになっている。
【００６７】
可溶化処理槽８は、消化槽２から消化汚泥送泥ラインＬ１６を介して送泥された消化汚泥を可溶化処理して、可溶化処理汚泥（可溶化処理物）とする槽である。なお、本実施形態において可溶化処理汚泥とは、可溶化処理した後の汚泥をいう。
可溶化処理槽８は、消化汚泥送泥ラインＬ１６を介して消化槽２と接続されている。また、可溶化処理槽８は、可溶化処理汚泥送泥ラインＬ１７を介してアンモニアストリッピング槽４と接続されている。
【００６８】
次に、本実施形態の汚泥処理システム３００のそれぞれの構成要素の作用を説明すると共に、当該汚泥処理システムを用いた汚泥処理方法について説明する。
【００６９】
本実施形態の汚泥処理方法は、下水汚泥を消化処理して消化汚泥を得る工程と、消化汚泥を可溶化処理する工程と、可溶化処理物をアンモニアストリッピング処理する工程と、アンモニアストリッピング処理物に二酸化炭素を散気して中和処理する工程と、を有する。
より詳細には、下水汚泥を消化槽２にて消化処理して、メタンガスおよび二酸化炭素を含むバイオガスならびに消化汚泥を得る工程（消化処理工程）と、消化槽２から可溶化処理槽８に送られた消化汚泥を、可溶化処理して、可溶化処理汚泥（可溶化処理物）を得る工程（可溶化処理工程）と、可溶化処理汚泥をアンモニアストリッピング槽４にて、アンモニアストリッピング処理してアンモニアストリッピング処理物（アンモニアストリッピング処理物）を得る工程（アンモニアストリッピング工程）と、アンモニアストリッピング槽４から送られたアンモニアストリッピング処理物に、二酸化炭素散気槽５にて二酸化炭素を散気し、中和処理して中和処理汚泥（中和処理物）を得る工程（中和処理工程）と、を有する。
【００７０】
また、本実施形態の汚泥処理方法は、排水処理施設から送られた下水汚泥を濃縮する工程（濃縮工程）と、消化槽２からバイオガス分離装置に送られたバイオガスを、二酸化炭素およびメタンガスとに分離する工程（バイオガス分離工程）と、消化槽２から送られた消化汚泥を脱水装置３にて脱水して、脱離液（脱水処理液）と脱水汚泥とに分離する工程（脱水工程）と、中和処理した中和処理汚泥を二酸化炭素散気槽５に返送する工程（返送工程）と、を有していてもよい。また、中和処理工程において、送気手段３０によって、二酸化炭素散気槽５内のアンモニアストリッピング処理物を散気してもよい。
以下、それぞれの工程のうち、第１の実施形態と同じものについては、省略または簡略する。
【００７１】
本実施形態の消化処理工程では、下水汚泥が消化処理されて生成したバイオガスが、送気手段３０のバイオガス送気ラインＬ１８を介してバイオガス分離装置７に送気される。また、消化槽２内の一部の消化汚泥の一部が、消化汚泥送泥ラインＬ３を介して脱水装置３に送られる。さらに、消化槽２内の消化汚泥残部が、消化汚泥送泥ラインＬ１６を介して可溶化処理槽８に送られる。
【００７２】
バイオガス分離工程は、バイオガス分離装置７に送気されたバイオガスを、二酸化炭素とメタンガスとに分離する工程である。バイオガスを分離する方法としては、例えば、化学吸着法、物理吸着法、膜分離法等を用いることができる。
【００７３】
バイオガスから分離された二酸化炭素は、二酸化炭素送気ラインＬ１９を介して、二酸化炭素散気槽５内に設置された図示略の二酸化炭素供給部に送気される。
一方、バイオガスから分離されたメタンガスは、メタンガス送気ラインＬ２０を介してバイオガス分離装置７外に排出される。バイオガス分離装置７から排出されるメタンガスは、必要に応じて精製して、メタンガスを燃料とする発電機や天然ガス自動車等に使用してもよい。
【００７４】
可溶化処理工程は、消化槽２から可溶化処理槽８に送られた消化汚泥を、可溶化処理して可溶化処理汚泥（可溶化処理物）とする工程である。消化汚泥が可溶化処理されると、消化汚泥中の難分解性有機物が低分子化されて易分解性有機物となる。また、難溶解性有機物に含まれていたアンモニアが、消化汚泥に含まれる水分中に溶解する。すると、消化汚泥に含まれる水分中のアンモニア濃度が上昇する。
【００７５】
可溶化処理によって生成された易分解性有機物は、消化槽２内に保持されている嫌気性微生物が、処理（分解）しやすい性質を持っている。また、易分解性有機物は、加水分解されやすいため、消化汚泥に含まれる水分に溶解する。すると、消化汚泥中の固形分であった難分解性有機物が易分解性有機物となり、消化汚泥中の水分に溶解することによって、消化汚泥中の固形分が減少する。
消化汚泥を可溶化処理して得た可溶化処理汚泥は、可溶化処理汚泥送泥ラインＬ１７を介してアンモニアストリッピング槽４に送られる。
【００７６】
なお、可溶化処理の方法としては、オゾンや薬剤を利用する化学的方法、熱処理やマイクロ波加熱を利用する物理化学的方法、超音波やビーズミルを用いて破砕処理する力学的方法、電気分解による電気化学的方法、酵素を利用した酵素反応方法等を用いることができる。
【００７７】
アンモニアストリッピング工程は、アンモニアストリッピング槽４にて、可溶化処理槽８から送られた消化汚泥をアンモニアストリッピング処理する工程である。アンモニアストリッピング処理されて、アンモニアが除去されたアンモニアストリッピング処理物は、アンモニアストリッピング処理物送泥ラインＬ７を介して二酸化炭素散気槽５に送られる。
【００７８】
中和処理工程は、二酸化炭素散気槽５にて、アンモニアストリッピング槽４から送られたアンモニアストリッピング処理物に、二酸化炭素を散気して中和処理して中和処理汚泥（中和処理物）を得る工程である。ここで、本実施形態の二酸化炭素散気槽５における二酸化炭素源は、バイオガス分離装置７から二酸化炭素送気ラインＬ１９を介して送気された二酸化炭素である。アンモニアストリッピング処理物が中和処理されて得られた中和処理汚泥は、返送手段２０の中和処理汚泥送泥ラインＬ８を介して消化槽２に送られる。
【００７９】
なお、本実施形態の送気手段３０のバイオガス分離装置７は、バイオガスに含まれる硫化水素を除去する機能を備えていてもよい。
【００８０】
以上の構成によれば、アンモニアストリッピング処理後のｐＨが高いアンモニアストリッピング処理物に、二酸化炭素を散気することによって消化汚泥を中和処理するため、塩酸や硫酸等の添加が不要となる。そのため、アンモニアストリッピング処理後のアンモニアストリッピング処理物の中和処理に要する薬剤の使用量を削減することができる。
また、消化汚泥を脱水して得た脱離液にアルカリ剤を添加してアンモニアストリッピング処理することで、脱離液中のアンモニアを効率的に除去することができる。その結果、脱離液に含まれる窒素濃度を低減できる。その結果、脱離液を排水処理施設に送って排水処理する場合に、排水処理施設の窒素負荷を低減できる。排水処理施設の窒素負荷が低減すると、排水処理施設における窒素除去にかかる運転コストを削減することができる。
【００８１】
また、二酸化炭素散気槽５において、送気手段３０のバイオガス分離装置７から二酸化炭素送気ラインＬ１９を介して送気された二酸化炭素を散気しているため、二酸化炭素散気槽５における二酸化炭素源が不要となる。また、単に消化槽２から排出していたバイオガスに含まれる二酸化炭素を、二酸化炭素散気槽５の二酸化炭素源として有効利用することができる。さらに、送気手段３０のバイオガス分離装置７から排出されるメタンガスを用いて、ガスを燃料とする発電機によって発電した場合、不燃性の二酸化炭素とメタンガスとを含むバイオガスを用いて発電した場合に比べて発電効率が高くなる。また、バイオガス分離装置７から排出されるメタンガスは、必要に応じて精製して、天然ガス自動車や都市ガスの代替として利用することもできる。
【００８２】
また、可溶化処理槽８にて、消化汚泥を可溶化処理して、難分解性有機物を低分子化して易分解性有機物とすることによって、難分解性有機物に含まれていたアンモニアを可溶化処理汚泥中に溶解させることができる。これにより、可溶化処理汚泥に溶解したアンモニア濃度が上昇し、アンモニアストリッピング槽４におけるアンモニアの除去効率を向上させることができる。
【００８３】
（第４の実施形態）
図５の汚泥処理システム４００は、汚泥処理システム１００と同様に、消化槽２と、アンモニアストリッピング槽４と、二酸化炭素散気槽５と、を備える。また、汚泥処理システム４００は、可溶化処理槽８と、アルカリ処理槽９と、を備える。
二酸化炭素散気槽５には、ｐＨ計６が設置されている。
汚泥処理システム４００は、図５に示すように、汚泥濃縮槽１と、脱水装置３と、返送手段２０と、送気手段３０と、を備えていてもよい。なお、返送手段２０は、中和処理汚泥送泥ラインＬ８と、ポンプＰ１と、を備える。また、送気手段３０は、バイオガス送気ラインＬ１８と、バイオガス分離装置７と、二酸化炭素送気ラインＬ１９と、を備える。
【００８４】
アルカリ処理槽９は、消化槽２から消化汚泥送泥ラインＬ２１を介して送泥された消化汚泥にアルカリ剤を添加し、アルカリ剤と消化汚泥とを撹拌混合して、アルカリ処理汚泥（アルカリ処理物）を得る槽である。なお、本実施形態においてアルカリ処理汚泥とは、アルカリ剤を添加されてｐＨが減少した汚泥をいう。
【００８５】
アルカリ処理槽９は、アルカリ剤供給ラインＬ２３を介して、図示略のアルカリ剤供給部が接続されている。また、アルカリ処理槽９は、アルカリ処理槽９内の消化汚泥等を撹拌することができる、図示略の撹拌装置が設置されている。アルカリ処理槽９は、アルカリ処理汚泥送泥ラインＬ２２を介して可溶化処理槽８と接続されている。
【００８６】
次に、本実施形態の汚泥処理システム４００のそれぞれの構成要素の作用を説明すると共に、当該汚泥処理システムを用いた汚泥処理方法について説明する。
【００８７】
本実施形態の汚泥処理方法は、下水汚泥を消化処理して消化汚泥を得る工程と、消化汚泥をアルカリ処理する工程と、アルカリ処理物を可溶化処理する工程と、可溶化処理物をアンモニアストリッピング処理する工程と、アンモニアストリッピング処理物に二酸化炭素を散気して、中和処理する工程と、消化処理された消化汚泥を脱水して脱離液と脱水汚泥とに固液分離する工程と、を有する。
より詳細には、下水汚泥を消化槽２にて消化処理して、メタンガスおよび二酸化炭素を含むバイオガスならびに消化汚泥を得る工程（消化処理工程）と、消化槽２からアルカリ処理槽９に送られた消化汚泥を、アルカリ処理してアルカリ処理汚泥（アルカリ処理物）を得る工程（アルカリ処理工程）と、アルカリ処理槽９から可溶化処理槽８に送られたアルカリ処理汚泥を、可溶化処理して、可溶化処理汚泥（可溶化処理物）を得る工程（可溶化処理工程）と、可溶化処理汚泥をアンモニアストリッピング槽４にて、アンモニアストリッピング処理してアンモニアストリッピング処理物（アンモニアストリッピング処理物）を得る工程（アンモニアストリッピング工程）と、アンモニアストリッピング槽４から送られたアンモニアストリッピング処理物に、二酸化炭素散気槽５にて二酸化炭素を散気し、中和処理して中和処理汚泥（中和処理物）を得る工程（中和処理工程）と、消化槽２から送られた消化汚泥を脱水装置３にて脱水して、脱離液と脱水汚泥とに分離する工程（脱水工程）と、を有する。
【００８８】
また、本実施形態の汚泥処理方法は、排水処理施設から送られた下水汚泥を濃縮する工程（濃縮工程）と、消化槽２からバイオガス分離装置に送られたバイオガスを、二酸化炭素およびメタンガスとに分離する工程（バイオガス分離工程）と、消化槽２から送られた消化汚泥を脱水装置３にて脱水して、脱離液（脱水処理液）と脱水汚泥とに分離する工程（脱水工程）と、中和処理した中和処理汚泥を二酸化炭素散気槽５に返送する工程（返送工程）と、を有していてもよい。また、中和処理工程が、送気手段３０によって、二酸化炭素散気槽５内のアンモニアストリッピング処理物を散気する工程であってもよい。
以下、それぞれの工程のうち、第１の実施形態と同じものについては、省略または簡略する。
【００８９】
アルカリ処理工程は、消化槽２から消化汚泥送泥ラインＬ２１を介して送られた消化汚泥にアルカリ剤を添加して、消化汚泥のｐＨを上昇させて、アルカリ処理汚泥（アルカリ処理物）を得る工程である。
【００９０】
アルカリ剤は、アルカリ剤供給ラインＬ２３を介して図示略のアルカリ剤供給部から供給される。なお、アルカリ剤としては、水酸化ナトリウム、水酸化カリウム、水酸化カルシウム等を用いることができる。
また、アルカリ処理槽９内の撹拌は、アルカリ処理槽９内に設置された図示略の撹拌装置によって行われる。
【００９１】
アルカリ処理工程では、アルカリ処理汚泥のｐＨを確認しながらアルカリ剤を添加して、アルカリ処理汚泥のｐＨを調整する。消化汚泥のｐＨは、９．０以上に調整することが好ましく、１０．０以上に調整することがより好ましい。
アルカリ処理汚泥のｐＨが、９．０以上であると、アルカリ処理汚泥の遊離アンモニアの存在比率が上昇する。アルカリ処理汚泥のｐＨが、１０．０以上であると、アルカリ処理汚泥の遊離アンモニアの存在比率がより向上する。
アルカリ処理された消化汚泥は、アルカリ処理汚泥送泥ラインＬ２２を介して可溶化処理槽８に送られる。
【００９２】
なお、本実施形態では、可溶化処理槽８を有していなくてもよい。この場合は、アルカリ処理槽９は、アルカリ処理汚泥送泥ラインＬ２２を介してアンモニアストリッピング槽４と接続されるとよい。
【００９３】
以上の構成によれば、アンモニアストリッピング処理後のｐＨが高いアンモニアストリッピング処理物に、二酸化炭素を散気することによって消化汚泥を中和処理するため、塩酸や硫酸等の添加が不要となる。そのため、アンモニアストリッピング処理後のアンモニアストリッピング処理物の中和処理に要する薬剤の使用量を削減することができる。
また、消化汚泥を脱水して得た脱離液にアルカリ剤を添加してアンモニアストリッピング処理することで、脱離液中のアンモニアを効率的に除去することができる。その結果、脱離液に含まれる窒素濃度を低減できる。その結果、脱離液を排水処理施設に送って排水処理する場合に、排水処理施設の窒素負荷を低減できる。排水処理施設の窒素負荷が低減すると、排水処理施設における窒素除去にかかる運転コストを削減することができる。
【００９４】
また、アルカリ処理槽９にて、消化汚泥にアルカリ剤を添加し、消化汚泥のｐＨを調整することで、消化汚泥中の遊離アンモニアの存在比率を上昇させることができる。これにより、アンモニアストリッピング槽４において、消化汚泥中のアンモニアの除去効率を向上させることができる。そのため、消化汚泥中のアンモニア態窒素を低減できる。
【００９５】
また、可溶化処理槽８にて、オゾンによる可溶化処理を行う場合には、アルカリ処理槽９との組み合わせにより、好ましい効果が得られる。
オゾンによる可溶化処理は、水分とオゾンとが反応して生成したＯＨラジカルが有機物を酸化させることによって行われる。このＯＨラジカルは、水分のｐＨが高いほど多く生成される。アルカリ処理された消化汚泥（アルカリ処理汚泥）に、オゾンによる可溶化処理を適用すると、消化汚泥中に多量のＯＨラジカルが生成される。消化汚泥中のＯＨラジカルの量が多いと、オゾンによる可溶化処理がより効率的に行われる。そのため、アルカリ処理とオゾンによる可溶化処理とを組み合わせることにより、消化汚泥の可溶化処理効率を向上させることができる。
【００９６】
また、可溶化処理槽８にて、熱処理による可溶化処理を行う場合は、アンモニアストリッピング槽４との組み合わせにより、好ましい効果が得られる。
熱処理によって加温された消化汚泥は温度が高く、遊離アンモニアの存在比率が高くなる。そのため、加温した消化汚泥をアンモニアストリッピング処理することによって、消化汚泥を加温しない場合と比べて、より多くのアンモニアを放散させることができる。これにより、より多くの消化汚泥中のアンモニア態窒素を除去することができる。
【００９７】
以上に述べた少なくとも一つの実施形態によれば、アンモニアストリッピング処理後のｐＨが高いアンモニアストリッピング処理物に、二酸化炭素を散気することによって消化汚泥を中和処理するため、塩酸や硫酸等の添加が不要となる。そのため、アンモニアストリッピング処理物の中和処理に要する薬剤の使用量を削減することができる。
また、消化汚泥を脱水して得た脱離液にアルカリ剤を添加してアンモニアストリッピング処理することで、脱離液中のアンモニアを効率的に除去することができる。その結果、脱離液に含まれる窒素濃度を低減できる。その結果、脱離液を排水処理施設に送って排水処理する場合に、排水処理施設の窒素負荷を低減できる。排水処理施設の窒素負荷が低減すると、排水処理施設における窒素除去にかかる運転コストを削減することができる。
【００９８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９９】
１００，２００，３００，４００…汚泥処理システム、１…汚泥濃縮槽、２…消化槽、３…脱水装置、４…アンモニアストリッピング槽、５…二酸化炭素散気槽、８…可溶化処理槽、９…アルカリ処理槽、２０…返送手段、３０…送気手段。
【図１】
2018153780.tif 000003
【図２】
2018153780.tif 000004
【図３】
2018153780.tif 000005
【図４】
2018153780.tif 000006
【図５】
2018153780.tif 000007